(57)【要約】おしゃぶりバンド・クランプ（１）に、互いに相対旋回可能な２つの緊締部（２）が設けられており、両緊締部（２）が、協働する緊締領域（３）を有しており、この場合、当該おしゃぶりバンド・クランプ（１）の閉鎖された緊締位置で、緊締領域（３）の、互いに向かい合った内側の表面（６）が、互いに接触しており、かつ少なくとも１つの緊締領域（３）の表面（６）が、少なくとも部分的に、緊締部（２）の材料に比べてより低い硬さを有している材料から成っており、かつ緊締部（２）が、Ｕ字形成形体（８）の脚部によって形成されており、前記Ｕ字形成形体（８）の頂端（８′）が、緊締部（２）のための旋回軸もしくは旋回領域として設けられており、かつ当該おしゃぶりバンド・クランプ（１）の緊締領域（３）が、弛緩させられたその開放位置で、互いに間隔を置いて配置されている。
2005537874.tif 000002
【特許請求の範囲】
【請求項１】
おしゃぶりバンド・クランプ（１）であって、互いに相対旋回可能な２つの緊締部（２）が設けられており、両緊締部が、協働する緊締領域（３）を有しており、この場合、当該おしゃぶりバンド・クランプ（１）の閉鎖された緊締位置で、緊締領域（３）の、互いに向かい合った内側の表面（６）が、互いに接触している形式のものにおいて、少なくとも１つの緊締領域（３）の表面（６）が、少なくとも部分的に、緊締部（２）の材料に比べてより低い硬さを有している材料から成っており、緊締部（２）が、Ｕ字形成形体（８）の脚部によって形成されており、前記Ｕ字形成形体（８）の頂端（８′）が、緊締部（２）のための旋回軸もしくは旋回領域として設けられており、かつ当該おしゃぶりバンド・クランプ（１）の緊締領域（３）が、弛緩させられたその開放位置で、互いに間隔を置いて配置されていることを特徴とする、おしゃぶりバンド・クランプ。
【請求項２】
１つの緊締領域（３）だけが、少なくとも部分的に、より低い硬さの材料から成る表面（６）を有している、請求項１記載のクランプ。
【請求項３】
少なくとも１つの緊締領域（３）が、少なくとも部分的に、より低い硬さの材料から成る被覆部材（１１）によって形成されている、請求項１または２記載のクランプ。
【請求項４】
一方の緊締部（２）の内側の表面（６）が、緊締領域（３）において、より低い硬さの材料で完全に被覆されている、請求項３記載のクランプ。
【請求項５】
緊締領域（３）における緊締部（２）の狭幅側の縁部（１２）も、少なくとも部分的に、より低い硬さの材料で被覆されている、請求項４記載のクランプ。
【請求項６】
緊締領域（３）の内側の表面（６）に、それぞれ１つの歯成形部（７，７′）が設けられており、かつこれらの歯成形部（７，７′）が緊締位置で互いに噛み合っており、この場合、少なくとも１つの歯成形部（７′）が、より低い硬さの材料から成っている、請求項１から５までのいずれか１項記載のクランプ。
【請求項７】
緊締位置への移動のために、両緊締部（２）を包囲している、両緊締部（２）に摺動可能に支承された留め輪（４）が設けられている、請求項１から６までのいずれか１項記載のクランプ。
【請求項８】
少なくとも一方の緊締部（２）が、該緊締部（２）の自由端部に向かって拡大されている少なくとも１つの楔形のウェブ（５）を外側に有しており、該ウェブ（５）が、Ｕ字形成形体（８）と同じ材料から成っている、請求項７記載のクランプ。
【請求項９】
緊締部（２）において、縁部側に配置された２つの楔形のウェブ（５）が設けられている、請求項８記載のクランプ。
【請求項１０】
前記単数または複数の楔形のウェブ（５）が、異形成形された表面（５′）を有している、請求項８または９記載のクランプ。
【請求項１１】
緊締領域（３）が楕円形である、請求項１から１０までのいずれか１項記載のクランプ。
【請求項１２】
緊締部（２）が、硬質のプラスチック、例えばポリカーボネートから成っている、請求項１から１１までのいずれか１項記載のクランプ。
【請求項１３】
より低い硬さの材料として、熱可塑性のエラストマ（ＴＰＥ）が考えられている、請求項１から１２までのいずれか１項記載のクランプ。
【請求項１４】
当該クランプ（１）が、２構成部分・射出成形品である、請求項１から１３までのいずれか１項記載のクランプ。
【発明の詳細な説明】
【技術分野】
【０００１】
本発明は、おしゃぶりバンド・クランプであって、互いに相対旋回可能な２つの緊締部が設けられており、両緊締部が、協働する緊締領域を有しており、この場合、当該おしゃぶりバンド・クランプの閉鎖された緊締位置で、緊締領域の、互いに向かい合った内側の表面が、互いに接触している形式のものに関する。
【０００２】
おしゃぶりバンドまたはこれに類するものを乳幼児の衣服もしくは他の対象物例えばベビーカー部分に固定するためのクランプもしくはクリップは、既に公知であり（ＡＴ型Ｎｏ．１１６３９参照）、市場で入手可能でもある。公知のおしゃぶりバンド・クランプは、主として、比較的硬質のプラスチック材料から成るＵ字形成形体から成っている。この結果、前記Ｕ字形成形体は、乳幼児の、クランプが固定された衣服に、圧痕（押し跡）を残してしまう。この形式のクランプは、さらに、滑らかな表面を備えた比較的硬質の材料に基づき、不満足な保持でしか硬質の対象物、例えばベビーカー部分に固定されることができない。
【０００３】
別のおしゃぶりバンド・クランプがアメリカ合衆国特許第５９４８００３号明細書に基づき公知である。緊締部はここでは脚付きばねによってその閉鎖された位置に保持される。このクランプは同時に、おしゃぶり乳首のためのカバーエレメントもしくは保護エレメントとして使用されることができる。このクランプも比較的硬質のプラスチック材料から成っている。これにより、衣服に圧痕が生ぜしめられてしまうか、もしくは硬質の材料に満足のいく保持で固定することは可能ではなくなってしまう。
【０００４】
ドイツ連邦共和国特許第２６１８８８０号明細書によれば、互いに旋回可能な２つの部分を備えた別の形式のクランプが公知であり、この場合、両緊締領域は軟質の材料、例えばゴムから成ってはいるが、クランプのための構造上手間および費用のかかる扱いにくい開放機構が存在する。この開放機構では、クランプの開放もしくは閉鎖は、斜め面取り部を備えたスライダの摺動によって達成されるようになっている。
【０００５】
ドイツ連邦共和国特許出願公告第２３６４８３９号明細書にも、２つの緊締プレートを備えた別の形式のクランプが示されている。両緊締プレートはその端部にそれぞれ１つの緊締ジョーを有しており、この緊締ジョーは、歯成形部を備えた可撓性のパッドを有している。しかも、このクランプにおいても２つの別個の緊締プレートが設けられており、この場合、第１の緊締プレートに旋回支持体が一体成形されており、この旋回支持体の下面は旋回ピンとして形成されている。
【０００６】
ドイツ連邦共和国特許出願公開第３５１０９０６号明細書によれば、ズボン吊りのためのクリップが公知であり、この場合、実質的にＵ字形成形体として形成された板ばねが、掴みやすい比較的軟質のゴム材料から成る２つの緊締ジョーを支持している。しかしながらこの場合、板ばねは予荷重を有しているので、ズボン吊り・クリップは、負荷されていない位置ではその閉鎖位置に存在し、カムによって開放位置に移動させられなければならない。
【０００７】
本発明の課題は、クランプが固定される衣服にへこみ箇所を残さず、さらに、滑らかなまたは薄い布地における改善された保持を保証する、構造上単純なおしゃぶりバンド・クランプを提供することである。さらに、前記おしゃぶりバンド・クランプが、硬質の対象物、例えばベビーカー部分にも、満足のいく保持で固定されることができるようにし、前記おしゃぶりバンド・クランプの適用に際してそのできるだけ単純な操作が保証されているようにする。
【０００８】
このことは、冒頭に述べた形式のクランプの場合、少なくとも１つの緊締領域の表面が、少なくとも部分的に、緊締部の材料に比べてより低い硬さを有している材料から成っており、緊締部が、Ｕ字形成形体の脚部によって形成されており、前記Ｕ字形成形体の頂端が、緊締部のための旋回軸もしくは旋回領域として設けられており、かつ当該おしゃぶりバンド・クランプの緊締領域が、弛緩させられたその開放位置で、互いに間隔を置いて配置されていることによって達成される。比較的軟質の材料を備えた少なくとも１つの表面が設けられることによって、より軟質の材料から成る表面を備えた緊締領域は、衣服におけるクランプの固定に際して撓むので、衣服における圧痕が回避されることができる。さらに、より低い硬さの材料はより高い摩擦係数を有しているので、改善された摩擦接続（摩擦力による束縛；Reibschluss）、すなわち力接続（力結合；Kraftschluss）が得られ、さらにクランプは滑らかでかつ薄い布地に高い信頼度で保持される。さらに、改善された摩擦接続によって、クランプは、硬質の対象物、例えばベビーカーの側壁またはこれに類するものに高い信頼度で固定されることもでき、この場合、クランプがおしゃぶりの自重によって固定対象物から引きずり下ろされることはあり得ない。さらに、緊締部がＵ字形成形体の脚部として形成されていることによって（この場合、緊締領域は、Ｕ字形成形体の弛緩させられた位置で、互いに間隔を置いて配置されている）、おしゃぶりバンド・クランプの適用に際して特別に簡単な操作が得られる。
【０００９】
先述のように改善された固定を達成するには、１つの緊締領域だけが、少なくとも部分的に、より低い硬さの材料から成る表面を有していれば、十分である。
【００１０】
少なくとも１つの緊締領域が、少なくとも部分的に、より低い硬さの材料から成る被覆部材によって形成されていると、比較的軟質の表面を備えた緊締領域の、簡単でかつ安価な製作が達成されることができる。
【００１１】
できるだけ大きい領域においてクランプの緊締領域間の改善された摩擦接続を保証するために、一方の緊締部の内側の表面が、緊締領域において、より低い硬さの材料で全体的に被覆されていると、有利である。
【００１２】
製作技術上の理由から、特に、より高い硬さの材料から成っている緊締部とより低い硬さの材料から成っている被覆部材との間の信頼性の高い結合を保証するために、緊締領域における緊締部の狭幅側の縁部も少なくとも部分的に、より低い硬さの材料で被覆されていると、有利である。
【００１３】
衣服における固定に際して、閉鎖された緊締位置における両緊締部間の摩擦接続的な結合のほかに付加的に、所定の形状接続的な固定を得るために、ひいては意図に反してクランプが固定対象物から滑落してしまう確率を低下させるために、緊締領域の内側の表面にそれぞれ１つの歯成形部が設けられており、かつこれらの歯成形部が緊締位置で互いに噛み合っており、この場合、少なくとも１つの歯成形部が、より低い硬さの材料から成っていると、有利である。
【００１４】
緊締位置への移動のために、両緊締部を包囲している、両緊締部に摺動可能に支承された留め輪が設けられている場合、この留め輪が緊締部の、自由に突出している端部の方向に摺動されることによって、クランプは簡単な、ユーザフレンドリな方式で閉鎖されることができる。この場合、特にクランプの信頼性の高い緊締接続（Klemmschluss）のためには、少なくとも一方の緊締部が、該緊締部の自由端部に向かって拡大されている少なくとも１つの楔形のウェブを外側に有しており、該ウェブが、Ｕ字形成形部と同じ材料から成っていると、有利である。この場合、ウェブの楔形状によって、種々異なる厚さの対象物におけるクランプの固定が保証されることができる。
【００１５】
緊締部において、縁部側に配置された２つの楔形のウェブが設けられている場合、両楔形のウェブによって、レールの形式の、留め輪の安定した滑り支承が得られる。
【００１６】
楔形のウェブからの留め輪の意図に反した滑り戻りを防止するために、前記単数または複数の楔形のウェブが、異形成形された表面を有していると、有利である。
【００１７】
実際に、緊締領域が楕円形である場合に、極めて種々異なる対象物における信頼性の高い緊締接続が達成され得ることがわかった。
【００１８】
緊締部が、硬質のプラスチック、例えばポリカーボネートから成っている場合、この緊締部は十分な強さを有しているので、この緊締部の意図に反した撓みおよびひいてはクランプの解離が回避されることができる。両緊締部間の所望の摩擦と同時に緊締領域の所定の可撓性とを得るために、より低い硬さの材料として、熱可塑性のエラストマ（ＴＰＥ）が考えられていると、有利である。当該クランプが２構成部分・射出成形品（Zwei-Komponenten-Spritzgussteil）である場合、少なくとも１つの緊締領域の表面に、より低い硬さの材料が簡単にかつ安価な方式で備えることができる。
【００１９】
以下に、本発明を図示の有利な実施例に基づきさらに説明するが、本発明は前記実施例に限定されるものではない。個別的には、図１には、より軟質の材料から成る表面を有している緊締領域を備えたクランプの斜視図を示してあり、図２には、図１によるクランプの別の斜視図を示してあり、図３には、図１におけるＩＩＩ−ＩＩＩ線に沿った断面図を示してある。
【００２０】
図１および図２にはクランプもしくはクリップ１を示してある。このクランプもしくはクリップ１は２つの緊締部２，２′を備えている。両緊締部２，２′はそれぞれ１つの緊締領域３，３′を有している。両緊締部２，２′は、図１には、弛緩させられた開放位置で示してある。この開放位置では、両緊締領域３，３′は互いに間隔を置いて配置されている。図１では後方へ摺動させられた開放位置で示してある留め輪（Lasche）またはスリーブ４によって、両緊締領域３，３′は互いに接触するように接近させられることができ、ひいては種々異なる対象物、例えば衣服、ベビーカーの側壁または覆いまたはこれに類するものにおけるクランプ１の緊締固定が達成されることができる。前方への留め輪４の摺動に際して両緊締領域の接近を達成するために、一方の緊締部２は、楔形に拡大されている２つのウェブ５を有している。両ウェブ５は、留め輪４に係合している表面５′に、異形成形部もしくは歯を有している。これにより、図１に示した位置への意図に反した滑り戻りが回避される。
【００２１】
緊締領域３，３′では、互いに向かい合った表面６，６′がそれぞれ１つの歯成形部７，７′を有している。このことによって、薄い衣服の緊締に際して、クランプ１のごく僅かに形状接続的な（形状による束縛に基づく；formschluessig）結合およびひいては改善された保持も達成される。
【００２２】
クランプ１は主としてＵ字形成形体８から成っている（図３も参照）。この場合、Ｕ字形成形体８の頂端８′は、両緊締部２，２′のための旋回領域を形成している。頂端８′には、さらに、固定留め輪９が設けられている、すなわち、一体成形されている。この固定留め輪９を介して、おしゃぶりバンド１０はクランプ１に結合されている。
【００２３】
特に図３には、緊締領域３′に軟質の材料から成る被覆部材１１が設けられていることを示してある。前記材料は、一体成形されたＵ字形成形体８の材料よりも低い硬さを有している。例えば熱可塑性のエラストマ（ＴＰＥ）から成っている被覆部材１１は、例えばポリカーボネートから成っているＵ字形成形体８の材料に比べて、より低い硬さを有している。これにより、被覆部材１１は緊締位置で所定の可撓性を有している。このことによって、例えば衣服における歯成形部７，７′の好ましくない押し跡が回避されることができる。
【００２４】
図３に示した実施例では、被覆部材１１はさらに、緊締領域３′における緊締部２の狭幅側の縁部１２の周囲に係合している。これにより、被覆部材１１および緊締部２′の異なる材料の、信頼性の高い形状接続的な結合が保証されている。しかしながら、被覆部材１１の軟質の材料は、衣服における好ましくない押し跡が回避されることができるという利点を提供するだけではなく、さらに、極めて種々異なる滑らかでかつ硬質の材料における、特にベビーカーまたはベビーチェアの種々異なる部分におけるクランプ１の信頼性の高い固定が達成されることもできる。なぜならば、被覆部材１１はこのような材料に良好に付着し、ひいてはクランプ１の意図に反した解離が防止されることができるからである。
【００２５】
図３には、さらに、Ｕ字形成形体８が頂端８′に続く箇所で、内面に制動フック１３を有していることを示してある。この制動フック１３は、Ｕ字形成形体８からの留め輪４の意図に反した滑落を防止している。
【００２６】
緊締領域３，３′は、図示の実施例では、平面図で見て楕円形に形成されているが、緊締領域３，３′は、当然のことながら、図示とは異なって、例えば方形または半円形に形成されていてもよい。
【００２７】
当然のことながら、両緊締部２，２′は軟質の被覆材１１を有していてもよく、しかも特にこの事例では、歯成形部７，７′は省略することができる。なぜならば、被覆部材１１の高められた摩擦値に基づいて、クランプ１は固定対象物に高い信頼度で付着するからである。
【図面の簡単な説明】
【００２８】
【図１】より軟質の材料から成る表面を有している緊締領域を備えたクランプの斜視図である。
【図２】図１によるクランプの別の斜視図である。
【図３】図１もしくは図２におけるＩＩＩ−ＩＩＩ線に沿った断面図である。
【図１】
2005537874.tif 000003
【図２】
2005537874.tif 000004
【図３】
2005537874.tif 000005
【手続補正書】
【提出日】平成16年7月5日(2004.7.5)
【手続補正１】
【補正対象書類名】特許請求の範囲
【補正対象項目名】請求項１
【補正方法】変更
【補正の内容】
【請求項１】
おしゃぶりバンド・クランプ（１）であって、互いに相対旋回可能な２つの緊締部（２）が設けられており、両緊締部が、協働する緊締領域（３）を有しており、この場合、当該おしゃぶりバンド・クランプ（１）の閉鎖された緊締位置で、緊締領域（３）の、互いに向かい合った内側の表面（６）が、互いに接触しており、かつ少なくとも１つの緊締領域（３）の表面（６）が、少なくとも部分的に、緊締部（２）の材料に比べてより低い硬さを有している材料から成っている形式のものにおいて、当該おしゃぶりバンド・クランプ（１）が、２構成部分・射出成形品であり、かつ緊締部（２）が、Ｕ字形成形体（８）の脚部によって形成されており、前記Ｕ字形成形体（８）の頂端（８′）が、緊締部（２）のための旋回軸もしくは旋回領域として設けられており、この場合、当該おしゃぶりバンド・クランプ（１）の緊締領域（３）が、弛緩させられたその開放位置で、互いに間隔を置いて配置されていることを特徴とする、おしゃぶりバンド・クランプ。
【国際調査報告】
2005537874.tif 000006
2005537874.tif 000007
2005537874.tif 000008
2005537874.tif 000009
2005537874.tif 000010
2005537874.tif 000011